(57)【要約】【課題】  バリア取り付け面に対し凹凸の無いフラットバリアにおいて、繋ぎ目の無い一体のバリアを形成し、撮影レンズ面への防塵効果の向上を図る。【解決手段】  電子機器における撮影レンズを覆うバリアにおいて、前記バリアが前記バリア取り付け面に対し略平行にスライドする機能と、少なくとも2個以上の回動支持部材回動機構により前記バリア取り付け面に略垂直方向に移動する機能を備える。【選択図】  図１
2009288640.tif 000002
【特許請求の範囲】
【請求項１】
電子機器における撮影レンズを覆うバリア機構において、
バリアが前記バリア取り付け面に対し平行にスライドする機能と、回動支持部材による回動機構により前記バリア取り付け面に垂直方向に移動する機能を備えることを特徴とするバリア機構。
【請求項２】
前記バリアが、繋ぎ目の無い一体形状を構成することを特徴とする請求項１に記載のバリア機構。
【請求項３】
スライド機能と垂直方向移動をそれぞれ独立して行うロック機構を備えたことを特徴とする請求項１に記載のバリア機構。
【請求項４】
スライド機能と垂直方向移動をそれぞれ独立して行うロック機構を備えたことを特徴とする請求項２に記載のバリア機構。
【発明の詳細な説明】
【技術分野】
【０００１】
本発明は電子機器における撮影レンズを保護するバリア機構に関するものである。
【背景技術】
【０００２】
電子機器における、撮影レンズを保護するバリア機構は広く知られている。この中でも、特に撮影レンズを含む鏡筒部全体を保護するバリア機構では、外装面からバリアが突出した段差形状になっているものが多い。このため、ケースや衣服類のポケットに収納時、思いもよらずバリアが動いてしまったり、段差形状が引っかかるため快適に出し入れできないなどの問題が見られた。このような問題を回避するために、特許文献1が示すように、バリア面と外装面を同じ高さにしたフルフラットバリア機構が考えられている。
【特許文献１】特開平9-185102号公報
【発明の開示】
【発明が解決しようとする課題】
【０００３】
しかし、特許文献1においては外観面に構成されるバリアが2個あるため、バリアの繋ぎ目から砂塵が撮影レンズ部に入り込むという問題が考えられる。
【０００４】
本発明は、これらの問題を鑑みてなされたものであって、外装面と段差の無いバリアを形成し、意図しないバリアの引っかかりによる誤動作を防ぐことを第一の目的とする。
【０００５】
また、繋ぎ目の無い一体のバリアを形成することで、撮影レンズ面への防塵効果の向上を第二の目的とする。
【０００６】
また本発明は、開閉時の操作性を考慮し、スライドと垂直方向への移動とを独立させるロック機能を備えたフルフラットバリア機構の提供を第三の目的とする。
【課題を解決するための手段】
【０００７】
上記目的を達成するため、
請求項１に記載の発明は、電子機器における撮影レンズを覆うバリアにおいて、前記バリアが前記バリア取り付け面に対し平行にスライドする機能と、回動支持部材による回動機構により前記バリア取り付け面に垂直方向に移動する機能を備えることを特徴としている。
【０００８】
請求項２に記載の発明は、
請求項１記載のバリア機構において、前記バリアが、繋ぎ目の無い一体形状を構成することを特徴としている。
【０００９】
請求項３に記載の発明は、
請求項１に記載のバリア機構において、スライド機能と垂直方向移動をそれぞれ独立して行うロック機構を備えたことを特徴としている。
【００１０】
請求項４に記載の発明は、
請求項２に記載のバリア機構において、スライド機能と垂直方向移動をそれぞれ独立して行うロック機構を備えたことを特徴としている。
【発明の効果】
【００１１】
以上説明したように、請求項１に記載の発明によれば、レンズバリア取り付け部外観面を平坦にすることで、専用ケースや衣類のポケットへの快適な出し入れや、出し入れ時の不用意な動作を防ぐことが可能となる。
【００１２】
請求項２に記載の発明によれば、撮影レンズ面に対しバリア部を繋ぎ目の無い1つの構造体で形成している為、撮影レンズ面への砂塵の進入を防ぐことが可能となる。
【００１３】
請求項３、請求項４に記載の発明によれば、スライド機能と垂直方向移動が独立して行われるため、快適なバリア開閉操作が可能となる。
【発明を実施するための最良の形態】
【００１４】
次に、本発明の詳細を実施例の記述に従って説明する。
【実施例１】
【００１５】
以下に本発明実施形態について説明する。図１は本発明における構成の全体斜視図である。１は撮影レンズを内部に構成した電子機器本体であり、２は撮影レンズが配置される穴部である。なお、便宜上撮影レンズは図示していない。２点鎖線で示した１０はバリアカバーであり、この内部に構成された部品がバリア部３を構成している。図２はバリア部３の組み立て図であり、以下図１、図２を用いてバリアの動きに関するバリア内部構成を説明する。
【００１６】
図２において、バリア部３は大きく分けてスライド固定側ユニット４、バリアカバーユニット５から構成されている。まず、スライド固定側ユニット４について説明する。図２において、２０はスライド部固定部材であり、これにスライド部材Ｂ（下）２１、スライド部材Ｂ（上）２２が固定される。以下、このスライド部材Ｂ（下）２１、スライド部材Ｂ（上）２２は、本実施例では対称同形状のものとして説明する。このスライド部材Ｂ（下）２１には、摺動部としてスライド凸部２１ａ（下）、同様にスライド凸部（上）２２ａが設けられている。また、２３、２４はそれぞれ回転支持部材Ａ（下）、回転支持部材Ｂ（下）であり、図２においてスライド部固定部材２０対向側に、それぞれ同形状の回転支持部材Ａ（上）２５（図示せず）、回転支持部材Ｂ（上）２６が配置され、本実施例では４個の回転支持部材を構成する。これらの回転支持部材は、バリア部回転嵌合部Ａ（下）２３ａ、バリア部回転嵌合部Ｂ（下）２４ａにおいて、それぞれの回転支持部材に設けられた穴形状と、スライド固定部材２０に設けられた突起形状による嵌合により、スライド固定部材２０に回動可能に取り付くことになる。更に回転支持部材Ａ（下）２３、回転支持部材Ｂ（下）２４は、本体１内部に設けられた同様の突起形状（図示せず）により、２３ｂ、２４ｂを中心に回転可能なように嵌合状態で取り付けられる。また、同様に回転支持部材Ａ（上）２５、回転支持部材Ｂ（上）２６も同様の構成をとり、４個の回転支持部材により、スライド固定部材２０が本体１に対し、前述の各嵌合部を支点として回動可能に取り付くことになる。これらの構成により、各嵌合部を支点として回動し、本体１に対する平行を保ったまま略垂直方向への移動が可能となるスライド固定側ユニット４が形成される。
【００１７】
次に、バリアカバーユニット５について説明する。１２はスライド部材Ａ（下）、１３は対称同形状のスライド部材Ａ（上）であり、バリアカバー１０に固定されている。それぞれのスライド部材には、スライド溝（下）１２ａ、スライド溝（上）１３ａが設けられている。
【００１８】
このように構成されたスライド固定側ユニット４とバリアカバーユニット５は、スライド凸部（下）２１ａ、スライド凸部（上）２２ａに対し、スライド溝（下）１２ａ、スライド溝（上）１３ａが図２記載方向に嵌合で組み合わされる。このため嵌合部を摺動面として、スライド固定側ユニット４とバリアカバーユニット５は、スライド可能となる。
【００１９】
次に、バリアーカバーユニット５がスライド固定側ユニット４に取り付いた状態で、ストッパ１４を図示方向に取り付ける。ストッパ１４には突起部１４ａが設けられており、この突起部１４ａはバリアカバー１０に設けられた溝であるバリアカバースライド溝１０ａに対し摺動可能に取り付く。
【００２０】
このストッパ１４は、スライド固定側ユニット４とバリアカバーユニット５が離れる方向にスライドされた際、バリアカバースライド溝１０ａにあるスライド溝接触面１０ｂと突起部１４ａが接触し、両ユニットの抜け止め、更に位置決めにすることができる。
【００２１】
最後に、目隠し蓋１１をバリアカバーユニット５に取り付けることで、バリア内部の目隠しをすることが可能となる。このように、本体１に４個の回転支持部材により回動可能に取り付いたスライド固定側ユニット４、そのスライド固定ユニット４に対しスライド可能に取り付いたバリアカバーユニット５の構成により、本体１に対しバリア部３は横方向へのスライド、更に回転支持部材による回動が可能となり、バリア部３が撮影レンズを覆った状態において、本体１面より突出することのないフルフラットバリア機構が可能となる。また、バリアカバー１０の中に各部品が取り付く構造であるため、バリア閉時においては、バリア部３が撮影レンズを全面的に覆うことになり、防塵効果が高くなる。
【００２２】
次に、バリアのロック機構について説明する。図２において、スライド部材Ｂ（下）２１、スライド部材Ｂ（上）２２には溝を設けており、その溝にスライドロック部材（下）２７、スライドロック部材（上）２９、回転ロック部材（下）２８、回転ロック部材（上）３０が、回転支持部材Ａ（下）２３における略回転軸方向に、摺動可能に取り付ている。なお、各スライドロック部材、回転ロック部材は対称同形状になっている。更に、図示してはいないが、各スライドロック部材、回転ロック部材が外れないように蓋が構成され、また弾性材等でバリア部外周方向である図中Ｐ方向にそれぞれ付勢されている。図３にスライド部材Ａ（下）１２、図４にスライド部材Ａ（下）１２とスライドロック部材（下）２７、図５にスライド部材Ａ（下）１２と回転ロック部材（下）２８を示す。図３において、スライド部材Ａ（下）１２にリブを構成し、凹部１２ｂ、凸部１２ｃを形成する。この凹部１２ｂは、図４に示すスライドロック（下）２７に設けた突起形状２７ｂが収まる大きさに形成する。更に、１２ｄのようなテーパ形状を伴った面を形成する。また、図５に示すように回転ロック部材（下）２８には、突起部２８ａ、スライド部材Ａ（下）１２に設けたテーパ形状１２ｄと略同角度のテーパ形状２８ｂを形成する。これらのスライドロック部材、回転ロック部材は、図２におけるバリア外周方向であるＰ方向へ付勢時において、それぞれテーパ形状２７ａ、突起形状２８ａが、図２に示すスライド固定部材２０に設けた穴形状２０ａを通して回転支持部材Ａ（下）２３、回転支持部材Ｂ（下）２４の側面と十分に接触できるように取り付ける。回転支持部材Ａ（上）２５、回転支持部材Ｂ（上）２６についても同様である。
【００２３】
次に、これらの構成におけるバリアの動作を説明する。図６から図９まではそれぞれの状態での底面図、図１０から図１３までは平面図であり、それぞれ図６と図１０、図７と図１１、図８と図１２が同じ状態を表し、対応している。これらの図では、バリアカバー１０を二点鎖線の架空線で示している。また、説明は回転支持部材Ａ（下）２３、回転支持部材Ｂ（下）２４が取り付く側について主に行うが、対称構成となる回転支持部材Ａ（上）２５、回転支持部材Ｂ（上）２６側についても同様である。
【００２４】
まず、バリア部３を閉じた状態から説明する。図６及び図１０はバリア部３を閉じた状態であり、撮影レンズを覆っている。以下、この状態を状態１とする。この状態１では、図１０のように、スライドロック部材２７に設けた突起形状２７ｂがスライド部材Ａ（下）１２に設けられた凹部１２ｂに入り込んでいるため、スライドロック部材（下）２７は内側Ｑ方向への摺動が不可能となっている。また、テーパ形状２７ａはスライド固定部材２０より外側に位置している。これらの状態で、バリアカバーユニット５を図６におけるα方向へ回転させようとした場合、回転支持部材Ａ（下）２３とスライドロック部材（下）２７のテーパ形状２７ａが接触するが、前述の通りスライドロック部材（下）２７がバリアカバーユニット５をロックしているので、内側Ｑ方向への摺動が不可能となっている。このため、バリア部３のα方向への回転に対してロックがかかることになる。また、回転ロック部材（下）２８は外側Ｐ方向へ付勢されているため、図６のように、回転支持部材Ｂ（下）２４が突起部２８ａに、摺動方向を略法線方向とした面において当接した状態で停止している。
【００２５】
次に、α方向への回転ロックを解除した状態を説明する。図６、図１０における状態１から、バリアカバーユニット５を図１０における右方向へスライドさせた状態を、図７、図１１に示す。以下、この状態を状態２とする。図１１において、突起形状２７ｂは凹部１２ｂから開放され、スライドロック部材（下）２７は内側Ｑ方向へ摺動が可能となる。なお、この状態でのスライド固定側ユニット４とバリアカバーユニット５の位置決めは、前述した図２おけるストッパ１４に設けた突起部１４ａと、バリアカバースライド溝１０ａとのスライド溝接触面１０ｂを用いる。この状態において、バリア部３を図７におけるα方向へ回転させると、回転支持部材Ａ（下）２３とテーパ形状２７ａが当接し、回転角に応じてスライドロック部材（下）２７が内側に摺動することになる。回転を行い、このスライドロック部材（下）２７が内側Ｑ方向に摺動を開始した状態でバリアカバーユニット５を図中Ｌ方向へスライドさせようとした場合、図１１におけるバリアカバーユニット５のスライドに伴いスライド部材Ａ（下）１２にある凸部１２ｃが移動し、突起形状２７ｂに当接するため、このα方向への回転中にはＬ方向へのスライドにロックがかかることとなり、回転のみが可能となる。
【００２６】
図８及び図１２はα方向への回転が完了した状態の図である。以下、この状態を状態３とする。図１２において、回転支持部材Ａ（下）２３がスライドロック部材（下）２７を完全に押し込むことにより、突起形状２７ｂは凸部１２ｃより内側Ｑ方向に入った状態になる。この状態では、バリアカバーユニット５を図中Ｌ方向にスライドさせた場合でも、凸部１２ｃは突起形状２７ｂと当接する事が無いため、バリアカバーユニット５はスライド可能となり、スライドロックが解除された状態となる。また図８において、バリア部３が状態３、もしくはその手前の回転角度の状態で、前述の回転ロック部材（下）２８と回転支持部材Ｂ（下）２４との回転ロック部材（下）２８摺動方向を略法線方向とする面での当接部面積が０になるように配置する。更に、前述状態２において、図１１に示すようにスライド部材Ａ（下）１２にあるテーパ形状１２ｄと回転ロック部材（下）２８に設けたテーパ形状２８ｂのテーパ面同士が当接するように配置する。こうすることで、前述当接面積が０になった場合でも、図１２に示すように、回転ロック部材（下）２８はスライド部固定部材面から外側Ｐ方向に突出せずに停止している。図１２に示すように、この状態３におけるスライドのロックが解除された状態で、図中Ｌ方向へバリアカバーユニット５をスライドさせると、バリアカバーユニットに固定されているスライド部材Ａ（下）のテーパ形状１２ｄも同様にスライドする。このとき、テーパ形状１２ｄに当接し停止していた回転ロック部材（下）２８は、テーパ形状１２ｄのスライドと共に外側Ｐ方向へ摺動し、スライド部固定部材２０の外側Ｐ方向へ突出する。この状態でα方向の反対である図８に示したβ方向に回転させようとしても、回転支持部材Ｂ（下）２４は突出した回転ロック部材２８の突起部２８ａと当接、干渉するため、β方向の回転は不可能となり、回転ロックの状態となる。
【００２７】
図９及び図１３は、撮影レンズを覆っているバリアカバーユニット５を、完全に図中Ｌ方向へスライドした状態の図であり、通常、撮影を行う状態を表している。この状態を状態４とする。この状態４でのバリアカバーユニット５の位置決めは、前述のように、図２におけるストッパ１４に設けた突起部１４ａと、バリアカバースライド溝１０ａとのスライド溝接触面１０ｂを用いる。
【００２８】
次に、状態４から状態１まで逆の動作を行った場合の説明をする。
【００２９】
図９、図１３における状態４からバリアカバーユニット５を図中Ｒ方向にスライドする際、図９において前述のように回転支持部材Ｂ（下）２４と、突出した回転ロック部材２８の突起部２８ａが当接しているため、β方向へ回転はせず、回転がロックされた状態でのスライドとなる。スライドを続けると、状態３に近づき、スライド部材Ａ（下）にあるテーパ形状１２ｄは回転ロック部材（下）２８の突起部２８ａと当接する。さらにスライドを続けると、それぞれにテーパ形状を設けてあるため、回転ロック部材（下）２８は外側Ｐ方向への付勢に反し、内側Ｑ方向へ摺動することになる。このため、前述の図２おけるストッパ１４に設けた突起部１４ａと、バリアカバースライド溝１０ａとのスライド溝接触面１０ｂによる位置決め箇所までスライドが完了すると、回転ロック部材（下）２８はスライド部固定部材２０の内側Ｑ方向まで摺動し、図８、図１２に示す状態３となる。この状態では、回転支持部材Ｂ（下）２４の回転方向に対し回転ロック部材（下）２８は当接しないため、β方向への回転が可能となり、回転のロックが解除された状態となる。
【００３０】
次に、β方向へバリア部３を回転させると、スライドロック部材（下）２７のテーパ形状２７ａにより、回転支持部材Ａ（下）２３の回転角に応じてスライドロック部材（下）２７は付勢された外側Ｐ方向へ摺動することになる。回転を行い、このスライドロック部材（下）２７が外側Ｐ方向に摺動を開始した状態でバリアカバーユニット５を図中Ｌ方向へスライドさせようとした場合、図１２におけるバリアカバーユニット５のスライドに伴いスライド部材Ａ（下）１２にある凸部１２ｃが移動し、突起形状２７ｂに当接するため、このβ方向への回転中にはＬ方向へのスライドにロックがかかり、回転のみが可能となる。また、回転ロック部材（下）２８は、バリア部３をβ方向に回転させるに従い、回転支持部材Ｂ（下）２４との当接部面積は増加することになる。
【００３１】
更に回転を行い、図７、図１１に示す状態２まで達する。この状態では、バリアカバーユニット５をＬ方向へスライドさせた場合、突起形状２７ｂが凹部１２ｂに入り込むため、Ｌ方向へのスライドが可能となり、スライドのロックが解除された状態となる。
【００３２】
次にバリアカバーユニット５をＬ方向へスライドさせ、図６、図１０に示す状態１になると、前述のように、回転α方向への回転がロックされた状態となる。
【００３３】
上記実施例においては、回転指示部材を４本用いて説明しているが、１本以上用いれば良い。回転指示部材の回転軸上外に複数の回転指示部材を用いることで、バリア部の平行が保たれることになる。
【００３４】
本実施例によれば、バリアを閉じた状態（状態１）において、外装面とバリア面が凹凸の無い、略平坦となる構成が可能となる。このため、ケースや衣服類のポケットに収納時に、段差形状により引っ掛かったり、思いもよらずバリアが動いてしまったりすること無く快適な出し入れが可能となる。また、繋ぎ目の無い一体のバリアで構成しているため、撮影レンズ面への防塵効果も高くなっている。更にスライド機構と回動機構を独立させて行うロック機構を備えることで、バリア開閉動作もスムーズに行うことが可能となっている。
【図面の簡単な説明】
【００３５】
【図１】本発明における全体斜視図である。
【図２】バリアを構成する各ユニットを説明する図である。
【図３】構成部品を示す図である。
【図４】構成部品を示す図である。
【図５】構成部品を示す図である。
【図６】状態１底面図を示す図である。
【図７】状態２底面図を示す図である。
【図８】状態３底面図を示す図である。
【図９】状態４底面図を示す図である。
【図１０】状態１平面図を示す図である。
【図１１】状態２平面図を示す図である。
【図１２】状態３平面図を示す図である。
【図１３】状態４平面図を示す図である。
【符号の説明】
【００３６】
１  本体
２  撮影レンズ用穴部
３  バリア部
４  スライド固定側ユニット
５  バリアカバーユニット
１０  バリアカバー
１０ａ  バリアカバースライド溝
１０ｂ  スライド溝接触面
１１  目隠し蓋
１２  スライド部材Ａ（下）
１２ａ  スライド溝（下）
１２ｂ  凹部
１２ｃ  凸部
１２ｄ  テーパ形状
１３  スライド部材Ａ（上）
１３ａ  スライド溝（上）
１４  ストッパー
１４ａ  突起部
２０  スライド部固定部材
２０ａ  穴形状
２１  スライド部材Ｂ（下）
２１ａ  スライド凸部（下）
２２  スライド部材Ｂ（上）
２２ａ  スライド凸部（上）
２３  回転支持部材Ａ（下）
２３ａ  バリア部回転嵌合部Ａ（下）
２３ｂ  本体部回転嵌合部Ａ（下）
２４  回転支持部材Ｂ（下）
２４ａ  バリア部回転嵌合部Ｂ（下）
２４ｂ  本体部回転嵌合部Ｂ（下）
２５  回転支持部材Ａ（上）
２６  回転支持部材Ｂ（上）
２７  スライドロック部材（下）
２７ａ  テーパ形状
２７ｂ  突起形状
２８  回転ロック部材（下）
２８ａ  突起部
２８ｂ  テーパ形状
２９  スライドロック部材（上）
３０  回転ロック部材（上）
【図１】
2009288640.tif 000003
【図２】
2009288640.tif 000004
【図３】
2009288640.tif 000005
【図４】
2009288640.tif 000006
【図５】
2009288640.tif 000007
【図６】
2009288640.tif 000008
【図７】
2009288640.tif 000009
【図８】
2009288640.tif 000010
【図９】
2009288640.tif 000011
【図１０】
2009288640.tif 000012
【図１１】
2009288640.tif 000013
【図１２】
2009288640.tif 000014
【図１３】
2009288640.tif 000015